(57)【特許請求の範囲】
【請求項１】
本体ケース（１）と、本体ケース（１）で姿勢変更自在に支持されるヘッドブロック（３）とを備えており、
ヘッドブロック（３）には、外形形状と面積の少なくともいずれか一方が異なる接触面（１８・１９）を備えた複数個の接触ヘッド（５Ａ・５Ｂ）が設けられており、
ヘッドブロック（３）の本体ケース（１）に対する姿勢を変更して、各接触ヘッド（５Ａ・５Ｂ）を択一的に使用でき、
ヘッドブロック（３）に、面積が大きな接触面（１８）を備えた第１接触ヘッド（５Ａ）と、前記接触面（１８）に比べて面積が小さな接触面（１９）を備えた第２接触ヘッド（５Ｂ）とが設けられており、
ヘッドブロック（３）は支軸（１６）を中心にして回転可能に支持されており、
支軸（１６）の支軸中心（Ｑ）から第２接触ヘッド（５Ｂ）の接触面（１９）までの突出寸法（Ｌ２）が、支軸中心（Ｑ）から第１接触ヘッド（５Ａ）の接触面（１８）までの突出寸法（Ｌ１）より大きく設定してあることを特徴とする美容器具。
【請求項２】
ヘッドブロック（３）の前後に、第１接触ヘッド（５Ａ）と第２接触ヘッド（５Ｂ）とが背中合わせ状に配置されており、
ヘッドブロック（３）は、支軸（１６）を中心にして前後回転可能に支持されており、
支軸（１６）の支軸中心（Ｑ）が本体ケース（１）の機軸中心（Ｐ）よりも、使用姿勢にした第２接触ヘッド（５Ｂ）の側へ偏寄させてある請求項１に記載の美容器具。
【請求項３】
縦長形状に形成したヘッドブロック（３）の前後に、上下に長い第１接触ヘッド（５Ａ）と、第１接触ヘッド（５Ａ）より上下寸法が小さな第２接触ヘッド（５Ｂ）とが背中合わせ状に設けられており、
ヘッドブロック（３）は、水平の支軸（１６）を中心にして前後回転可能に支持されており、
使用姿勢にした第２接触ヘッド（５Ｂ）の中心軸（Ｒ）、および支軸中心（Ｑ）のそれぞれが、ヘッドブロック（３）の上下方向中央よりも上方へ偏寄する状態で配置してある請求項２に記載の美容器具。
【発明の詳細な説明】
【技術分野】
【０００１】
本発明は、顔肌などの微細な汚れを落とし、あるいは保湿成分を肌に浸透させて美容効果を高めるための美容器具に関する。
【背景技術】
【０００２】
本発明に係る美容器具に関して、たとえば特許文献１の美容器具が公知である。そこでは、グリップを兼ねる縦長の本体ケースと、本体ケースの前面上部に設けられる接触ヘッドと、接触ヘッドの外面に被せ付けた含液シートを押え保持するシートホルダーなどで美容器具を構成している。本体ケースの背面には、電源投入ボタンや、イオン導入あるいはイオン導出用のパルス電流の強弱を調整する切り換えボタンなどが設けてある。また、本体ケースの左右両側には、イオン導入・導出時の一方の電極となるアース板が露出させてある。接触ヘッドは裁頭円錐台状の突起からなり、その表面の接触面が、イオン導入・導出時の他方の電極を兼ねている。使用時には、接触ヘッドの外面に化粧水を含浸させた含液シートを被せ付け、シートホルダーでずれ動き不能に保持固定したのち、接触ヘッドを肌面に沿って摺動させる。
【先行技術文献】
【特許文献】
【０００３】
【特許文献１】特開２００９−１７２２４０号公報（段落番号００５８〜００６０、図５）
【発明の概要】
【発明が解決しようとする課題】
【０００４】
特許文献１の美容器具によれば、イオン導入・導出作用によって、顔肌などの微細な汚れを落とし、あるいは保湿成分を肌に浸透させて美容効果を高めることができる。しかし、本体ケースの前面上部に設けた比較的小さな接触ヘッドを肌面に沿って摺動するので、顔肌を手入れするのに好適ではあるが、首周りの肌や胸周りの肌などの面積が大きな肌面を手入れする際に長い時間が掛かる。接触面の外形や面積を大きくすると、首周りや胸周りなどの肌面をより短い時間で手入れできる。しかし、外形や面積が大きな接触面で顔肌を手入れする場合には、眉間から小鼻の周りにわたる入り隅状の肌面や、目や口の周りなどの細かな部分を手入れする際に、接触面が意図しない肌面に触れて邪魔になる。
【０００５】
本発明の目的は、手入れすべき肌面の面積や構造等の違いに応じて、形や面積が異なる複数の接触ヘッドを使い分けることができる美容器具を提供することにある。
本発明の目的は、手入れすべき肌面の面積や構造等の違いに応じて、使用すべき接触ヘッドの切り換えを簡便に行える、使い勝手に優れた美容器具を提供することにある。
【課題を解決するための手段】
【０００６】
本発明に係る美容器具は、図１に示すように、本体ケース１と、本体ケース１で姿勢変更自在に支持されるヘッドブロック３とを備えている。ヘッドブロック３には、外形形状と面積の少なくともいずれか一方が異なる接触面１８・１９を備えた複数個の接触ヘッド５Ａ・５Ｂを設ける。ヘッドブロック３の本体ケース１に対する姿勢を変更して、各接触ヘッド５Ａ・５Ｂを択一的に使用できることを特徴とする。外形形状と面積の少なくともいずれか一方が異なる具体例としては、図１８（ｄ）に示すように、外形形状が同じで面積が異なる場合、図１８（ｅ）に示すように、外形形状は異なるが面積が同じである場合、図１あるいは図１８（ａ）、図１８（ｂ）に示すように、外形形状と面積のいずれもが異なる場合などがある。
【０００７】
ヘッドブロック３に、面積が大きな接触面１８を備えた第１接触ヘッド５Ａと、前記接触面１８に比べて面積が小さな接触面１９を備えた第２接触ヘッド５Ｂとを設ける。ヘッドブロック３は支軸１６を中心にして回転可能に支持する。支軸１６の支軸中心Ｑから第２接触ヘッド５Ｂの接触面１９までの突出寸法Ｌ２を、支軸中心Ｑから第１接触ヘッド５Ａの接触面１８までの突出寸法Ｌ１より大きく設定する。この場合のヘッドブロック３は、図１に示すように水平の支軸１６を中心にして回転可能に支持することができ、あるいは図１４に示すように垂直の支軸１６を中心にして回転可能に支持することができる。
【０００８】
ヘッドブロック３の前後に、第１接触ヘッド５Ａと第２接触ヘッド５Ｂとを背中合わせ状に配置する。ヘッドブロック３は、支軸１６を中心にして前後回転可能に支持する。支軸１６の支軸中心Ｑを本体ケース１の機軸中心Ｐよりも、使用姿勢にした第２接触ヘッド５Ｂの側へ偏寄させる。
【０００９】
図１２に示すように、縦長形状に形成したヘッドブロック３の前後に、上下に長い第１接触ヘッド５Ａと、第１接触ヘッド５Ａより上下寸法が小さな第２接触ヘッド５Ｂとを背中合わせ状に設ける。ヘッドブロック３は、水平の支軸１６を中心にして前後回転可能に支持する。使用姿勢にした第２接触ヘッド５Ｂの中心軸Ｒ、および支軸中心Ｑのそれぞれを、ヘッドブロック３の上下方向中央よりも上方へ偏寄する状態で配置する。
【００１０】
ヘッドブロック３および第１接触ヘッド５Ａのそれぞれを、縦長の四角形、縦長の長円形、縦長の楕円形、縦長の三角形、縦長の菱形、縦長の繭形、縦長の卵形などの縦長形状に形成する。この場合の、ヘッドブロック３の形状と第１接触ヘッド５Ａの形状は相似形状であってもよく、異なる形状であってもよい。
【００１１】
本体ケース１とヘッドブロック３との間に、ヘッドブロック３を回転不能に位置保持するロック機構を設ける。ロック機構は、第１接触ヘッド５Ａを使用姿勢にした状態と、第２接触ヘッド５Ｂを使用姿勢にした状態と、両状態の中間の姿勢にした状態において、ヘッドブロック３を回転不能に位置保持できるように構成する（図１１参照）。
【００１２】
本体ケース１に、接触面１８・１９の外面に被せ付けた含液シートＭを押え保持するシートホルダー２を設ける。シートホルダー２は、ヘッドブロック３から分離する姿勢と、ヘッドブロック３と協同して含液シートＭを挟持する使用姿勢とに姿勢変更可能に設ける。
【００１３】
本体ケース１とヘッドブロック３との間に、ヘッドブロック３を回転不能に位置保持するロック機構を設ける。ロック機構をロック解除操作するロック解除体５９を、本体ケース１の外面に配置する（図８参照）。シートホルダー２は、ロック解除体５９の外面を覆う規制壁６０を備えている。シートホルダー２を使用姿勢にした状態において、ロック解除体５９の外面を規制壁６０で覆って、ロック解除体５９のロック解除操作を規制する。
【００１４】
本体ケース１とヘッドブロック３との間に、ヘッドブロック３を回転不能に位置保持するロック機構を設ける。図２に示すようにロック機構は、本体ケース１とヘッドブロック３とに設けられて互いに係合する、ロック突起２１、およびロック凹部２２と、ロック突起２１をロック凹部２２に向かって係合付勢するロックばね２３とを含む。シートホルダー２に、ロック突起２１がロック凹部２２から離脱するのを規制する規制片３４を設ける。シートホルダー２を使用姿勢に切り換えた状態において、規制片３４でロック突起２１を受け止めて、ロック突起２１のロック解除移動を規制する。
【００１５】
本体ケース１の上部に、ヘッドブロック３を支持するＵ字状のヘッドハウジング１５を設ける。ロック突起２１およびロックばね２３をヘッドハウジング１５の底面に配置し、ロック凹部２２をヘッドブロック３の周面の上下に形成する（図４参照）。
【００１６】
シートホルダー２に、含液シートＭを押え保持する押え窓３２を開口する。押え窓３２の開口面積を、第１、第２の各接触ヘッド５Ａ・５Ｂに対応して調整する開口調整体３３をシートホルダー２に設ける。
【００１７】
押え窓３２の開口内縁と、開口調整体３３の開口内縁のそれぞれに、含液シートＭをヘッドブロック３に向かって押し付ける押圧リブ４５・４６を設ける。
【００１８】
開口調整体３３は、シートホルダー２に設けた規制片３４で上下スライド自在に案内支持する。
【００１９】
本体ケース１の上部に、ヘッドブロック３を支持するＵ字状のヘッドハウジング１５を設ける。図７に示すように、ヘッドブロック３の周面の上下に位置決め用の第１突起５１と第２突起５２とを設ける。ヘッドハウジング１５の底面に、第１、第２の両突起５１・５２を受け止めるストッパー５３を設ける。シートホルダー２の押え窓３２の開口内縁と、開口調整体３３の内面のそれぞれに、ストッパー５３と協同してヘッドブロック３を回転不能に押え保持する第１回転規制部５４と第２回転規制部５５とを設ける。第１接触ヘッド５Ａを使用姿勢にし、かつシートホルダー２を使用姿勢にした状態においては、第１回転規制部５４がヘッドブロック３の前面上部に押し付けられて、第１突起５１がストッパー５３の後面で受け止められる。また、第２接触ヘッド５Ｂを使用姿勢にし、かつシートホルダー２を使用姿勢にした状態において、第２回転規制部５５がヘッドブロック３の前面下部に押し付けられて、第２突起５２がストッパー５３の前面で受け止められる。
【発明の効果】
【００２０】
本発明においては、本体ケース１で姿勢変更自在に支持されるヘッドブロック３に、外形形状と面積の少なくともいずれか一方が異なる接触面１８・１９を備えた複数個の接触ヘッド５Ａ・５Ｂを設け、ヘッドブロック３の姿勢を変更して各接触ヘッド５Ａ・５Ｂを択一的に使用できるようにした。このように本発明の美容器具によれば、手入れすべき肌面の面積や構造等の違いに応じて、形や面積が異なる複数の接触ヘッド５Ａ・５Ｂを使い分けることができるので、顔肌の手入れや、首周りの肌や胸周りの肌などの面積が大きな肌面の手入れを効果的に、しかも短時間で行える。また、ヘッドブロック３の姿勢を変更して接触ヘッド５Ａ・５Ｂを択一的に使用姿勢にするので、本体ケース１を持ち換える必要もなく、接触面１８・１９を簡便に切り換えることができる。
【００２１】
ヘッドブロック３に第１、第２の接触ヘッド５Ａ・５Ｂを設け、各接触ヘッド５Ａ・５Ｂの接触面１８・１９までの突出寸法Ｌ１・Ｌ２を大小に設定すると、突出寸法Ｌ２が大きく、しかも面積が小さな接触面１９を備えた第２接触ヘッド５Ｂを、肌面に対して強く押し当てることができる。また、第２接触ヘッド５Ｂの接触面１９をヘッドブロック３から大きく突出させるので、肌に対する接触面１９の接触状態を目視しながら的確に肌面の手入れを行える。
【００２２】
ヘッドブロック３の前後に、第１、第２の接触ヘッド５Ａ・５Ｂを背中合わせ状に配置し、ヘッドブロック３を支軸１６の回りに前後回転可能に支持すると、ヘッドブロック３を半回転するだけで、各接触ヘッド５Ａ・５Ｂを容易に使用姿勢に切り換えることができる。また、支軸１６の支軸中心Ｑを本体ケース１の機軸中心Ｐよりも、使用姿勢にした第２接触ヘッド５Ｂの側へ偏寄させることにより、第２接触ヘッド５Ｂの接触面１９をヘッドブロック３からさらに大きく突出させることができ、これにより接触面１９の肌に対する接触状態をさらに的確に目視できる。さらに、第１接触ヘッド５Ａを姿勢にした状態において、第２接触ヘッド５Ｂが後側へ大きく突出するのを防止できる。したがって、全体として、手入れすべき肌面の面積や構造等の違いに応じて、使用すべき接触ヘッド５Ａ・５Ｂの切り換えを簡便に行え、しかも、各接触ヘッド５Ａ・５Ｂによる肌面の手入れをより好適に行える、使い勝手に優れた美容器具を提供できる。
【００２３】
第２接触ヘッド５Ｂの中心軸Ｒと、ヘッドブロック３の支軸１６の支軸中心Ｑのそれぞれを、ヘッドブロック３の上下中央よりも上方へ偏寄する状態で配置すると、第１接触ヘッド５Ａを使用姿勢にした状態における、美容器具の上下方向の全長寸法を大きくできる。このように、使用姿勢にした第１接触ヘッド５Ａを大きく突出させると、胸周りの肌面や、首周りの背中側の肌面の手入れを行う場合に、接触面１８を肌面に的確にあてがうことができる。また、第２接触ヘッド５Ｂを使用姿勢にした状態における美容器具の上下方向の全長寸法を小さくして、顔肌の手入れを軽快に行うことができ、全体として、第１、第２の接触ヘッド５Ａ・５Ｂを使用目的に適合した状態に切り換えることができる。
【００２４】
ヘッドブロック３および第１接触ヘッド５Ａのそれぞれを、縦長の四角形や縦長の長円形などの縦長形状に形成してあると、使用姿勢にした第１接触ヘッド５Ａを上方へさらに大きく突出させることができるので、第１接触ヘッド５Ａによる首周りや胸周りの肌面の手入れを好適に行える。
【００２５】
本体ケース１とヘッドブロック３との間にロック機構を設け、第１、第２の接触ヘッド５Ａ・５Ｂを使用姿勢にした状態と、両状態の中間の姿勢において、ヘッドブロック３を回転不能に位置保持できるようにすると、各接触ヘッド５Ａ・５Ｂの使用姿勢を必要に応じて多様に変更できる。したがって、ユーザー自身が美容器具を使用する場合はもちろん、他者の肌を手入れする場合などに、各接触ヘッド５Ａ・５Ｂの使用姿勢を好適化して、使いやすい状態で的確に肌面の手入れを行える。
【００２６】
本体ケース１に含液シートＭを押え保持するシートホルダー２を設け、同ホルダー２を使用姿勢とヘッドブロック３から分離する姿勢とに姿勢変更可能に設けると、接触面１８・１９の外面に被せ付けた含液シートＭを、シートホルダー２とヘッドブロック３とで挟持固定できる。したがって、使用時に含液シートＭが接触面１８・１９から分離したり、ずれ動くのを規制して、好適に肌面の手入れを行える。
【００２７】
ロック機構用のロック解除体５９を本体ケース１の外面に配置し、シートホルダー２を使用姿勢にしたとき、その一部に設けた規制壁６０でロック解除体５９の外面を覆うと、美容器具を使用するときロック解除体５９が誤ってロック解除操作されるのを解消できる。ロック解除体５９は、シートホルダー２をヘッドブロック３から分離してからでないとロック解除操作できず、美容器具を使用するときは、シートホルダー２が使用姿勢に保持されているからである。このように、シートホルダー２を利用して、ロック解除ノブ５９のロック解除操作を規制すると、美容器具を使用する際にヘッドブロック３の姿勢が変わるのを防止できるので、美容器具による肌面の手入れを常に安定した状態で行える。
【００２８】
ロック突起２１、ロック凹部２２と、ロックばね２３などでロック機構を構成し、使用姿勢にしたシートホルダー２の規制片３４でロック突起２１を受け止めると、美容器具を使用するときヘッドブロック３の姿勢が変わるのを規制片３４で阻止できる。したがって、第１、第２の接触ヘッド５Ａ・５Ｂに大きな外力が作用するような場合であっても、ヘッドブロック３を適正な使用姿勢に保持して、美容器具による肌面の手入れを常に安定した状態で行える。ロック突起２１とロック凹部２２を係合要素にしてロック機構を構成するので、第１、第２の接触ヘッド５Ａ・５Ｂを常に一定の使用姿勢にした状態で、ヘッドブロック３を固定できる。
【００２９】
本体ケース１の上部にＵ字状のヘッドハウジング１５を設け、その底面にロック突起２１およびロックばね２３を配置すると、含液シートＭをシートホルダー２で押え保持するとき、ロック突起２１やロックばね２３が含液シートＭと干渉するのを防止できる。したがって、シートホルダー２による含液シートＭの固定を、簡便にしかも的確に行える。
【００３０】
シートホルダー２に含液シートＭ用の押え窓３２と、押え窓３２の開口面積を調整する開口調整体３３を設けると、開口調整体３３を調整することにより、押え窓３２の開口面積を各接触ヘッド５Ａ・５Ｂに対応させることができる。したがって、大きさや面積が異なる各接触面１８・１９に対して、含液シートＭをシートホルダー２で適正に押え保持できる。
【００３１】
押え窓３２の開口内縁と、開口調整体３３の開口内縁のそれぞれに押圧リブ４５・４６を設けると、押圧リブ４５・４６とヘッドブロック３とで含液シートＭを強固に挟持できる。したがって、使用時における含液シートＭを、接触面１８・１９に密着する状態で緊張させることができ、あるいは使用途中に含液シートＭが接触面１８・１９に沿ってずれ動いて塊状になるのを防止できる。また、押圧リブ４５・４６を設けることによって、押え窓３２や開口調整体３３の構造強度を増強して耐衝撃性を向上できる。
【００３２】
開口調整体３３を、シートホルダー２に設けた規制片３４で上下スライド自在に案内支持すると、開口調整体３３を常に安定した状態でスライド移動でき、したがって、開口調整体３３の切り換え操作を円滑に行える。また、シートホルダー２に設けた規制片３４を利用して規制片３４をスライド案内するので、開口調整体３３用のガイド構造を別途設ける場合に比べて構造を簡素化できる。
【００３３】
ヘッドブロック３の周面の上下に位置決め用の第１突起５１と第２突起５２を設け、ヘッドハウジング１５の底面に、先の両突起５１・５２を受け止めるストッパー５３を設けるようにした美容器具によれば、シートホルダー２を単に使用姿勢にするだけで、ヘッドブロック３を回転不能に固定できる。詳しくは、第１接触ヘッド５Ａを使用姿勢にし、かつシートホルダー２を使用姿勢にすると、第１回転規制部５４がヘッドブロック３の前面上部に押し付けられて、第１突起５１がストッパー５３の後面で受け止められる。また、第２接触ヘッド５Ｂを使用姿勢にし、かつシートホルダー２を使用姿勢にすると、第２回転規制部５５がヘッドブロック３の前面下部に押し付けられて、第２突起５２がストッパー５３の前面で受け止められる。したがって、ロック突起２１、ロック凹部２２、ロックばね２３などでロック機構を構成する場合に比べて、より簡単な構造でヘッドブロック３を回転不能に固定でき、組み立てに要する手間も軽減できる。
【図面の簡単な説明】
【００３４】
【図１】本発明に係る美容器具の一部破断側面図である。
【図２】第２接触ヘッドの使用状態を示す縦断側面図である。
【図３】第１接触ヘッドの使用状態を示す縦断側面図である。
【図４】図２におけるＡ−Ａ線断面図である。
【図５】開口調整体のスライド構造を示すシートホルダーの背面図である。
【図６】ロック機構の別の実施例を示す一部破断正面図である。
【図７】美容器具の別の実施例を示す一部破断側面図である。
【図８】ロック機構の別の実施例を示す一部破断側面図である。
【図９】シートホルダーの別の実施例を示す一部破断側面図である。
【図１０】シートホルダーの別の実施例を示す一部破断側面図である。
【図１１】ロック機構の別の実施例を示す側面図である。
【図１２】美容器具の別の実施例を示す側面図である。
【図１３】図１２に係る美容器具のロック機構を示す縦断側面図である。
【図１４】ヘッドブロックの軸支構造の別の実施例を示す一部破断側面図である。
【図１５】ヘッドブロックの軸支構造の別の実施例を示す側面図である。
【図１６】ヘッドブロックの軸支構造の別の実施例を示す側面図である。
【図１７】ヘッド構造の別の実施例を示す側面図である。
【図１８】接触面の外形形状の変形例を示す説明図である。
【図１９】接触ヘッドに対する給電構造の変形例を示す原理図である。
【発明を実施するための形態】
【００３５】
（実施例）  図１ないし図５は本発明に係る美容器具の実施例を示す。本発明における前後・左右・上下とは、図１および図４に示す交差矢印と、矢印の近傍に表示した前後・左右・上下の表記に従う。図１において美容器具は、グリップを兼ねる本体ケース１と、本体ケース１の前面側に配置されるシートホルダー２と、本体ケース１の上部に設けたヘッドブロック３とを備えている。美容器具を使用するときのシートホルダー２は、本体ケース１とともに片手で掴まれる。上下方向に長い長円形（縦長形状）のブロック状に形成したヘッドブロック３の後面および前面には、それぞれ第１接触ヘッド（接触ヘッド）５Ａと第２接触ヘッド（接触ヘッド）５Ｂとを背中合わせ状に配置してある。
【００３６】
側面から見るときの本体ケース１は、全体が部分円弧状に形成されて、その前面が突弧状に湾曲しており、本体ケース１の前後方向の機軸中心Ｐも、同様に突弧状に湾曲している。本体ケース１の後面には、電源投入用の電源ボタン６と、イオン導入時の電位を切り換える強弱ボタン７と、バイブレータ１１への通電状態をオン・オフする振動ボタンなどが設けてある。本体ケース１の下半部の左右両側には、イオン導入時、あるいはイオン導出時の一方の電極となるアース板９が配置してあり、アース板９は電流調整回路の出力リードに接続されていて、他方の電極を兼ねる接触面１８・１９と協同して、イオン導入・導出用の微弱なパルス電流を人体に供給する。本体ケース１の内部には、２次電池１０と、イオン導入・導出用のパルス電流を生成し、その電位を制御する電流調整回路などが収容してある。バイブレータ１１はヘッドブロック３の内部に収容してあり、バイブレータ１１による振動を肌面に作用させることによって、肌面をほぐすことができる。
【００３７】
本体ケース１に対するヘッドブロック３の姿勢を切り換えるために、本体ケース１の上部にＵ字状の凹み空間からなるヘッドハウジング１５を設け、その空間にヘッドブロック３を収容している（図４参照）。また、ヘッドブロック３の左右に設けた支軸１６を、左右一対の腕部１７で前後回転可能に支持して、第１接触ヘッド５Ａと、第２接触ヘッド５Ｂを択一的に使用姿勢に切り換え可能としている。この実施例における支軸１６は、ヘッドブロック３の左右周面の上下中央で、ヘッドブロック３の左右周面の前後中央に配置してある。
【００３８】
第１接触ヘッド５Ａ、および第２接触ヘッド５Ｂは、それぞれチタン板を断面台形状にプレス成形して形成されており、その開口周縁壁がヘッドブロック３の前後面に固定してある。第１接触ヘッド５Ａの突端には、緩やかな突弧面からなる縦長長円形状の接触面１８が形成してあり、第２接触ヘッド５Ｂの突端には、緩やかな突弧面からなる円形の接触面１９が形成してある。これらの接触面１８・１９は、それぞれ電流調整回路の出力リードに接続されていて、アース板９と協同してイオン導入・導出用の微弱なパルス電流を人体に供給する。なお、図示していないが、接触面１８・１９用の出力リードは、筒軸で形成した支軸１６の内面を介して配線することにより、ヘッドブロック３の外面に露出しない状態で配線できる。
【００３９】
第１接触ヘッド５Ａの接触面１８は、主に首周りや胸周りを手入れするために設けられており、そのため、主に顔肌を手入れするための第２接触ヘッド５Ｂの接触面１９に比べて、接触面１８の面積が大きく設定してある。詳しくは、前者接触面１８は、長円形状のヘッドブロック３の前後端面より、ひとまわり小さな長円形状に形成するが、ヘッドブロック３の前後端面の上下方向のほぼ全長にわたって縦長に形成することにより、その面積をできるだけ大きくしている。
【００４０】
先に説明したように、第２接触ヘッド５Ｂは主に顔肌の手入れを行うが、接触面１９を小鼻の周りや目や口の周りなどの細かな部分に的確にあてがうために、各接触面１８・１９と支軸１６との関係を次のように設定している。図１に示すように、支軸１６の中心となる支軸中心Ｑから第２接触ヘッド５Ｂの接触面１９までの突出寸法Ｌ２を、支軸中心Ｑから第１接触ヘッド５Ａの接触面１８までの突出寸法Ｌ１より大きく設定する。また、支軸中心Ｑを先に述べた機軸中心Ｐより、使用姿勢にした第２接触ヘッド５Ｂの側へ偏寄させて、支軸中心Ｑが機軸中心Ｐ上にある場合に比べて、使用姿勢にした第２接触ヘッド５Ｂを、本体ケース１の前面側へより大きく突出できるようにしている。また、第１接触ヘッド５Ａを使用姿勢にした状態では、第２接触ヘッド５Ｂが本体ケース１の後面側へ大きく突出するのを緩和できるようにしている。さらに、第２接触ヘッド５Ｂを使用姿勢にした状態において、第２接触ヘッド５Ｂの中心軸Ｒを支軸中心Ｑよりも上方へ偏寄させている。これにより、使用姿勢にした状態の第２接触ヘッド５Ｂを、ヘッドブロック３の上端寄りに位置させることができる。
【００４１】
第１、第２の両接触ヘッド５Ａ・５Ｂを使用姿勢にした状態において、ヘッドブロック３を回動不能にロックするために、ヘッドブロック３と本体ケース１との間にロック機構を設けている。図２ないし図４に示すように、ロック機構は、ヘッドハウジング１５の底面の左右中央に組み付けられるロックピン（ロック突起）２１と、ヘッドブロック３の周面の上下に形成されるロック凹部２２と、ロックピン２１をロック凹部２２へ向かって係合付勢するロックばね２３などで構成する。ロックピン２１は、上端が半球状に丸められた上下に長い丸軸からなり、その中途部に抜け止め用のフランジ２４が張り出してある。フランジ２４より上側の軸部分を、本体ケース１に設けたガイド穴２５でスライド案内することにより、ロックピン２１はロック凹部２２に落ち込み係合するロック位置と、ロック凹部２２から抜け出るロック解除位置との間で上下スライドできる。ロックばね２３は圧縮コイル形のばねからなり、ロックピン２１の下端と本体ケース１の内部に設けたばね受座２６との間に配置してある。
【００４２】
シートホルダー２は、ヘッドブロック３の外面に被せ付けた含液シートＭを押え保持するために設けてあり、本体ケース１の前面に被さる主壁２８と、本体ケース１の左右側面およびヘッドブロック３の上周面に被さる周側壁２９とを一体に備えている。主壁２８および周側壁２９は、それぞれ本体ケース１の湾曲形状に沿って、前面が突弧状に湾曲するように形成してある。周側壁２９の下端両側は、揺動軸３０で本体ケース１に対して前後揺動可能に連結してある。これにより、シートホルダー２はヘッドブロック３から分離する開放姿勢と、ヘッドブロック３と協同して含液シートＭを挟持する使用姿勢との間で姿勢を変更することができる。
【００４３】
シートホルダー２の主壁２８の上部には、含液シートを押え保持する長円状の押え窓３２が開口され、その下半部側に押え窓３２の開口面積を第１、第２の各接触ヘッド５Ａ・５Ｂに対応して調整する開口調整体３３が組み付けてある。主壁２８の本体ケース１との対向面で、押え窓３２の下側の壁には、ロックピン２１がロック凹部２２から離脱するのを規制する規制片３４が突設してある。規制片３４の突端には、ロックピン２１に係合するＵ字状の規制溝３５が設けてある。図２および図３に示すように規制片３４は、シートホルダー２を使用姿勢にした状態においてのみロックピン２１と係合して、ヘッドブロック３の姿勢が変わるのを規制するが、シートホルダー２を開放姿勢にした状態では、ロックピン２１はロック凹部２２から離脱できる。したがって、この実施例におけるロック機構は、ヘッドブロック３を所定の姿勢で位置保持するクリック機構を兼ねることとなる。
【００４４】
図５に示すように開口調整体３３は、上下に長い長方形状の板状体からなり、その上端に半円状の押え凹部３７が設けてある。開口調整体３３を上下にスライド切り換えするために、その左右両側に設けたスライド溝３８を、周側壁２９の内面に設けた左右一対のガイド突起３９でスライド案内し、さらに開口調整体３３の壁面中央に開口したスライド開口４０を、先の規制片３４でスライド案内している。また、シートホルダー２の主壁２８の前面に設けた切り換えボタン４１を開口調整体３３に固定して、切り換えボタン４１を主壁２８に形成したスライド溝４２に沿って上下にスライドすることにより、開口調整体３３を上下に切り換えられるようにしている。
【００４５】
スライド開口４０の左右両側には、上下方向のばね腕からなるクリックばね４３が設けてあり、クリックばね４３が主壁２８の内面に設けたクリック突起４４を乗り越えることにより、開口調整体３３を上方の進出位置と、下方の後退位置において位置保持できる。押え窓３２の開口内縁と、開口調整体３３の開口内縁には、それぞれ含液シートＭをヘッドブロック３に向かって押し付ける押圧リブ４５・４６が半円状に突設してある。本体ケース１の前面には、規制片３４の出入りを許す窓４７が開口してある（図２参照）。
【００４６】
以上のように構成した美容器具は、以下に説明する要領で使用する。顔肌の手入れを行う場合には、図２に示すように、第２接触ヘッド５Ｂを使用姿勢にしたのち、化粧水が化粧用の綿マットに含浸してある含液シートＭを、第２接触ヘッド５Ｂの接触面１９に被せ付ける。つぎに、開口調整体３３を上方の進出位置に切り換えた状態で、シートホルダー２を使用姿勢にして本体ケース１に被せ付ける。これにより、含液シートＭの周縁部分が、図２に想像線で示すように、第２接触ヘッド５Ｂと、シートホルダー２の押え窓３２および押え凹部３７とに挟持されて遊動不能に固定される。
【００４７】
上記のように、シートホルダー２を使用姿勢にした状態では、規制片３４が窓４７から本体ケース１内へ入り込み、その規制溝３５がロックピン２１のフランジ２４より下側のピン軸に係合して、ロックピン２１のロック解除移動を規制する。この状態で、電源ボタン６をオン操作してバイブレータ１１を起動し、さらに強弱ボタン７を調整して、第２接触ヘッド５Ｂおよびアース板９に印加される電圧を調整する。この状態で、アース板９を本体ケース１およびシートホルダー２と同時に握り締め、第２接触ヘッド５Ｂを顔肌に押し付けて摺動する。このとき、顔肌は接触面１９に対して化粧水を介して電気的に導通しており、さらに手のひらがアース板９と導通しているので、顔肌には微弱なパルス電流が供給される。なお、イオン導出用のパルス電流を供給して顔肌などの微細な汚れを落とす場合と、イオン導入用のパルス電流を供給して保湿成分を肌に浸透させる場合とで、アース板９と接触面１９に供給される電流の極性は逆になる。バイブレータ１１は、図示していないスイッチノブを切り換えることによりオン・オフでき、ユーザーの好みや肌面の状態に応じて、バイブレータ１１を駆動した状態と、停止した状態にして美容器具を使用できる。
【００４８】
使用状態において、第１接触ヘッド５Ａと第２接触ヘッド５Ｂにパルス電流を同時に供給すると、顔肌に供給すべきパルス電流が短絡されるおそれがある。たとえば第２接触ヘッド５Ｂを使用姿勢にした状態において、アース板９を握っている手指が第１接触ヘッド５Ａに触れると、パルス電流が手指を介して短絡され、パルス電流を顔肌に供給できなくなる。こうした不具合を防ぐために、第２接触ヘッド５Ｂを使用姿勢にした状態では、第１接触ヘッド５Ａへのパルス電流の供給を停止し、逆に、第１接触ヘッド５Ａを使用姿勢にした状態では、第２接触ヘッド５Ｂへのパルス電流の供給を停止することが好ましい。
【００４９】
上記のように、パルス電流が手指を介して短絡されるのを防ぐために、不使用姿勢になっている側の接触ヘッドへのパルス電流の供給を停止する美容器具は、次の形態で実施できる。
グリップを兼ねる本体ケース１と、本体ケース１の上部に配置されて、支軸１６を中心にして回転可能に支持されるヘッドブロック３を備えており、ヘッドブロック３の前面および後面には、第１接触ヘッド５Ａと第２接触ヘッド５Ｂとが背中合わせ状に配置されており、本体ケース１の外面には、イオン導入時、あるいはイオン導出時の一方の電極となるアース板９が配置されており、第１接触ヘッド５Ａの接触面１８および第２接触ヘッド５Ｂの接触面１９と、アース板９とは、電流調整回路８０から出力されるパルス電流を人体に対して協同して供給できるようになっており、両接触ヘッド５Ａ・５Ｂのいずれか一方を使用姿勢にした状態において、不使用姿勢になっている側の接触ヘッドへのパルス電流の供給を停止することを特徴とする美容器具。
不使用姿勢になっている側の接触ヘッドへのパルス電流の供給が、ヘッドブロック３の回転動作に連動して停止される上記の美容器具。なお、ヘッドブロック３は、図１に示すように水平の支軸１６を中心にして回転する場合と、図１４に示すように垂直の支軸１６を中心にして回転する場合のいずれであってもよい。
【００５０】
所定の使用時間が経過して肌面の手入れが終了したら、第２接触ヘッド５Ｂを顔肌から離して電源ボタン６をオフ操作する。さらに、シートホルダー２を本体ケース１から分離して開放姿勢にする。この状態で、含液シートＭを第２接触ヘッド５Ｂから取り外して廃棄する。なお、第２接触ヘッド５Ｂを使用姿勢にした状態から、第１接触ヘッド５Ａを使用姿勢に切り換える場合には、ヘッドブロック３を図２において時計回転方向へ回転操作する。また、逆の場合には、ヘッドブロック３を図３において反時計回転方向へ回転操作する。これは、ヘッドブロック３を先に説明した回転方向とは逆向きに回転操作して第１、第２の各接触ヘッド５Ａ・５Ｂの姿勢を変更するとき、第２接触ヘッド５Ｂがヘッドハウジング１５の前後の開口縁に接当するからである。このように、第１、第２の各接触ヘッド５Ａ・５Ｂの姿勢を変更する時に、ヘッドブロック３を往復回転させるようにすると、接触面１８・１９用の出力リードが捻じれるのを防止して、断線の原因となるのを解消できる。
【００５１】
首周りや胸周りの肌面の手入れを行う場合には、図３に示すように、第１接触ヘッド５Ａを使用姿勢にしてヘッドブロック３をロック機構でロックしたのち、切り換えボタン４１を下方へスライド操作して、開口調整体３３を下方の後退位置に位置させる。次に、先に説明した要領で含液シートＭをシートホルダー２で挟持固定して、面積が大きな接触面１８の全体を含液シートＭで覆う。以後は、電源ボタン６をオン操作してバイブレータ１１を起動し、さらに強弱ボタン７を調整した状態で、アース板９を本体ケース１およびシートホルダー２と同時に握り締め、第１接触ヘッド５Ａを肌に押し付けて摺動させる。
【００５２】
以上のように、本発明に係る美容器具によれば、手入れすべき肌面の面積や構造等の違いに応じて、第１、第２の接触ヘッド５Ａ・５Ｂを使い分けることができるので、顔肌や、首周りあるいは胸周りの肌面の手入れを好適に行える。また、ヘッドブロック３を本体ケース１に対して回動操作するだけで、ロック凹部２２をロックピン２１に係合させて、第１、第２の各接触ヘッド５Ａ・５Ｂを使用位置に固定できるので、使用すべき接触ヘッド５Ａ・５Ｂの切り換えを簡便に行うことができ、使い勝手に優れた美容器具とすることができる。
【００５３】
図６から図１９において、上記の美容器具の一部を変更した別の実施例について説明する。なお、図６から図１９における美容器具については、上記の実施例と異なる部分を主に説明し、上記の実施例と同じ部材には同じ符号を付してその説明を省略する。
【００５４】
図６に示す美容器具は、ロック機構を支軸１６の近傍のヘッドブロック３の一側面と、ヘッドハウジング１５の片方の腕部１７との間に設けるようにした。詳しくは、支軸１６の上下にロック凹部２２を凹み形成し、支軸１６より下方の腕部１７の壁面でロックピン２１を出没自在に案内した。また、ロックピン２１の軸端２１ａを腕部１７の外側面から突出させて、ロックピン２１がロック凹部２２に落ち込み係合した状態において、軸端２１ａをシートホルダー２の周側壁２９で受け止めて、ロックピン２１がロック解除状態に切り換わるのを規制できるようにした。この場合の周側壁２９は、先の実施例における規制片３４と同じ機能を発揮するので、規制片３４や窓４７を省略できる。上記のように、支軸１６の上下にロック凹部２２を設けると、ロック凹部２２の外面を腕部１７で常に覆うことができるので、外観上の印象をすっきりしたものにして意匠性を向上できる。この実施例におけるロック機構はクリック機構を兼ねている。
【００５５】
図７に示す美容器具は、ヘッドハウジング１５とシートホルダー２を利用して、ヘッドブロック３を固定保持できるようにする点が、図１から図５で説明した美容器具と異なる。詳しくは、ヘッドブロック３の周面の上下に位置決め用の第１突起５１と第２突起５２とを設け、ヘッドハウジング１５の底面に、第１、第２の各突起５１・５２を受け止めるストッパー５３を設ける。さらに、シートホルダー２の押え窓３２の開口内縁に第１回転規制部５４を設け、開口調整体３３の内面に第２回転規制部５５を設ける。第１回転規制部５４は押圧リブ４５を兼ねている。
【００５６】
図７（ａ）に示すように、第２接触ヘッド５Ｂを使用姿勢にし、かつシートホルダー２を使用姿勢にした状態においては、第２回転規制部５５がヘッドブロック３の前面下部に押し付けられて、第２突起５２がストッパー５３の前面で受け止められる。したがって、ヘッドブロック３が支軸１６の回りに回動するのを規制できる。また、図７（ｂ）に示すように、第１接触ヘッド５Ａを使用姿勢にし、かつシートホルダー２を使用姿勢にした状態においては、第１回転規制部５４がヘッドブロック３の前面上部に押し付けられて、第１突起５１がストッパーの後面で受け止められる。したがって、ヘッドブロック３が支軸１６の回りに回動するのを規制できる。このように、ヘッドハウジング１５とシートホルダー２を利用して、ヘッドブロック３をロック保持できるようにすると、先の実施例におけるロックピン２１、ロックばね２３、規制片３４などを省略してロック機構の構造を簡素化できる。
【００５７】
図８に示す美容器具は、ロック機構を支軸１６と腕部１７との間に設ける点が先の実施例と異なる。そこでは、腕部１７の内部に設けたガイド穴２５でロックピン２１を上下スライド自在に案内し、ロックピン２１をロックばね２３でロック凹部２２へ向かって係合付勢している。支軸１６にはロックリング５８が同行回転可能に固定してあり、その周面の上下にロック凹部２２が形成してある。腕部１７の外面には、ロックピン２１をロックばね２３の付勢力に抗してロック解除操作するロック解除ノブ（ロック解除体）５９が設けてある。シートホルダー２の周側壁２９には、シートホルダー２を使用姿勢に切り換えた状態において、ロック解除ノブ５９の外面を覆う規制壁６０が設けてある。このように、シートホルダー２を利用して、ロック解除ノブ５９の切り換え操作を規制すると、美容器具を使用する際に、誤ってロック解除ノブ５９がロック解除操作されるのを確実に防止できる。
【００５８】
図９に示す美容器具は、図８で説明したロック機構と同じ構造のロック機構を支軸１６と腕部１７との間に設けるが、シートホルダー２の構造が図８の美容器具とは異なっている。そこでは、押え窓３２を備えた上下寸法が小さな主壁２８と、主壁２８の左右両側に連続する周側壁２９とでシートホルダー２を構成し、周側壁２９の上部を腕部１７の上端外面に設けた揺動軸３０で軸支するようにした。シートホルダー２を揺動軸３０で軸支するために、腕部１７の上端はヘッドブロック３の上周面より上方へ突出させてある。シートホルダー２の周側壁２９は、ロック解除ノブ５９の外面を覆う規制壁６０を兼ねており、したがって、シートホルダー２を使用姿勢に切り換えた状態において、ロック解除ノブ５９の外面を規制壁６０で覆って、ロック解除ノブ５９が誤ってロック解除操作されるのを解消できる。
【００５９】
図１０に示す美容器具は、図８で説明したロック機構と同じ構造のロック機構を支軸１６と腕部１７との間に設けるが、シートホルダー２の構造が図８、図９の美容器具とは異なっている。シートホルダー２は、押え窓３２を備えた上下寸法が小さな主壁２８と、主壁２８の上下に連続する周側壁２９と、主壁２８の左右両側に連続する一対の規制壁６０とで、キャップ状に構成してある。周側壁２９の突端には、ヘッドブロック３の上下周面の後縁に係脱する係合リブ６３が設けてある。想像線で示すように、シートホルダー２をヘッドブロック３に装着した状態では、規制壁６０でロック解除ノブ５９の外面を覆って、ロック解除ノブ５９が誤ってロック解除操作されるのを解消できる。このように、シートホルダー２はヘッドブロック３に対して必ずしも連結する必要はない。
【００６０】
図１１に示す美容器具は、図８で説明したロック機構とほぼ同じ構造のロック機構を支軸１６と腕部１７との間に設けるが、ロックリング５８の周面の８個所にロック凹部２２を形成する点が異なる。このように、ロックリング５８に多数個のロック凹部２２が設けてあると、第１接触ヘッド５Ａを使用姿勢にした状態と、第２接触ヘッド５Ｂを使用姿勢にした状態と、両状態の中間の姿勢にした状態において、ヘッドブロック３を回転不能に位置保持できる。したがってユーザーは、第１、第２の各接触ヘッド５Ａ・５Ｂを好みに応じて傾斜させた状態で使用でき、たとえば、図１１に示すように、第２接触ヘッド５Ｂが斜め上向きに傾斜する状態にヘッドブロック３をロック保持して、肌面の手入れを行うことができる。
【００６１】
図１２に示す美容器具は、長円状に形成したヘッドブロック３の前後に、上下に長い第１接触ヘッド５Ａと、第１接触ヘッド５Ａより上下寸法が小さな第２接触ヘッド５Ｂとを設け、使用姿勢にした第２接触ヘッド５Ｂの中心軸Ｒ、および支軸中心Ｑのそれぞれを、ヘッドブロック３の上下中央よりも上方へ偏寄する状態で配置した。また、第１接触ヘッド５Ａは、ヘッドブロック３の縦長形状と相似の縦長の長円形状に形成した。さらに、図１３に示すように、ロックリング５８の周面にラチェット歯７０とストッパー爪７１を形成し、ロックリング５８の下方にラチェット歯７０と係合するラチェット爪７２を設けた。ラチェット爪７２はラチェット軸７３の回りに上下揺動でき、捻じりコイル形のばね７４でラチェット軸７３と係合する向きに揺動付勢してある。腕部１７の外面にはラチェット爪７２を係合解除操作する解除ノブ７５が設けてあり、解除ノブ７５とラチェット爪７２とはピン７６を介して連結してある。符号７７は、第１接触ヘッド５Ａを使用姿勢にした状態においてストッパー爪７１を受け止める規制突起であり、腕部１７の内面に突設してある。
【００６２】
上記のように、第２接触ヘッド５Ｂの中心軸Ｒ、および支軸中心Ｑのそれぞれを、ヘッドブロック３の上下中央よりも上方へ偏寄させると、第１接触ヘッド５Ａを使用位置に固定保持した状態の美容器具の上下方向の全長寸法を、第２接触ヘッド５Ｂを使用位置に固定保持した状態の美容器具の上下方向の全長寸法より大きくできる。図１２に、前者全長寸法と後者全長寸法との差を符号Ｈで示している。このように、第１接触ヘッド５Ａを使用位置にした状態において、その接触面１８の大半の部分を腕部１７より上方へ大きく突出させると、胸周りの肌面や、首周りの背中側の肌面の手入れを行う場合に、接触面１８を肌面に的確にあてがうことができる。また、第２接触ヘッド５Ｂを使用姿勢にした状態における美容器具の上下方向の全長寸法を小さくして、顔肌の手入れを軽快に行うことができる。
【００６３】
図１２（ｂ）に示すように、第１接触ヘッド５Ａを使用位置にした状態においては、接触面１８の大半の部分が腕部１７より上方へ大きく突出するため、支軸１６に大きな傾動モーメントが作用する。しかし、ラチェット歯７０をラチェット爪７２で受け止めているので、ヘッドブロック３が時計回転方向へ回動することはなく、第１接触ヘッド５Ａを安定した状態で使用できる。第２接触ヘッド５Ｂを使用位置に変位させる場合には、解除ノブ７５を下方へスライド操作して、ラチェット爪７２とラチェット歯７０の係合を解除し、ヘッドブロック３を時計回転方向へ回動する。このとき、ヘッドハウジング１５の前部に設けた規制壁１５ａでヘッドブロック３を受け止めることにより、第２接触ヘッド５Ｂを使用姿勢に位置決めできる。なお、使用姿勢にした第２接触ヘッド５Ｂが、反時計回転方向へ回転するのを防ぐために、別途クリック機構を設けることができる。
【００６４】
図１４に示す美容器具は、ヘッドブロック３の下面中央に設けた支軸１６を本体ケース１の上端壁に設けた軸受穴６５で軸支して、ヘッドブロック３を支軸１６の回りに回転させて、各接触ヘッド５Ａ・５Ｂを択一的に使用姿勢にできるようにした。また、ロック機構を本体ケース１とヘッドブロック３との間に設けて、各接触ヘッド５Ａ・５Ｂを使用姿勢にした状態において、ヘッドブロック３を位置保持できるようにした。この場合のロック機構は、ロック凹部２２をヘッドブロック３の下面の支軸１６の前後に設ける点以外は、図１から図５で説明したロック機構と実質的に同じであるので、その説明を省略する。この実施例においては、ヘッドブロック３を垂直軸回りに回転させるので、ヘッドハウジング１５は省略する。
【００６５】
図１４に示す美容器具においても、図１の美容器具と同様に、支軸１６の中心となる支軸中心Ｑから第２接触ヘッド５Ｂの接触面１９までの突出寸法Ｌ２を、支軸中心Ｑから第１接触ヘッド５Ａの接触面１８までの突出寸法Ｌ１より大きく設定している。また、支軸中心Ｑを本体ケース１の機軸中心Ｐより、使用姿勢にした第２接触ヘッド５Ｂの側へ偏寄させて、支軸中心Ｑが機軸中心Ｐ上にある場合に比べて、使用姿勢にした第２接触ヘッド５Ｂを、本体ケース１の前面側へより大きく突出できるようにしている。
【００６６】
図１５に示す美容器具は、図１で説明した美容器具と基本的に同じであるが、支軸１６の支軸中心Ｑをヘッドブロック３の左右周面の前後中央よりも、第１接触ヘッド５Ａの接触面１８の側へ偏寄させるようにした（図１５（ａ）参照）。また、支軸中心Ｑを本体ケース１の機軸中心Ｐより、使用姿勢にした第２接触ヘッド５Ｂの側へ偏寄させるようにした。以上のように支軸中心Ｑを偏寄させることにより、図１で説明した美容器具に比べて、支軸中心Ｑから第２接触ヘッド５Ｂの接触面１９までの突出寸法Ｌ２をさらに大きくできる。また、図１５（ｂ）に示すように、第１接触ヘッド５Ａを使用姿勢にした状態において、第２接触ヘッド５Ｂが本体ケース１の後面側へ大きく突出するのを緩和することができる。
【００６７】
図１６に示す美容器具は、図１４で説明した美容器具と基本的に同じであるが、支軸１６の支軸中心Ｑをヘッドブロック３の左右周面の前後中央よりも、第１接触ヘッド５Ａの接触面１８の側へ偏寄させるようにした（図１６（ａ）参照）。また、支軸中心Ｑを本体ケース１の機軸中心Ｐより、使用姿勢にした第２接触ヘッド５Ｂの側へ偏寄させるようにした（図１６（ｂ）参照）。以上のように支軸中心Ｑを偏寄させることにより、図１５で説明した美容器具と同等の作用効果を発揮できる。
【００６８】
上記の各実施例では、ヘッドブロック３の前面と後面に、第１接触ヘッド５Ａと第２接触ヘッド５Ｂを設けたがその必要はなく、図１７に示すように、ヘッドブロック３の前後面のいずれか一方に第１接触ヘッド５Ａを設け、ヘッドブロック３の周側面に第２接触ヘッド５Ｂを設けることができる。その場合には、ヘッドブロック３を水平にした図１７の状態で、第２接触ヘッド５Ｂを本体ケース１の前面側へ指向させて、顔肌の手入れを行うことができ、さらに、第１接触ヘッド５Ａが本体ケース１の前面側を指向する状態で、首周りや胸周りの手入れを行うことができる。
【００６９】
図１８は、第１、第２の各接触ヘッド５Ａ・５Ｂの接触面１８・１９の外形形状の変更例を示している。図１８（ａ）では、第１接触ヘッド５Ａの接触面１８を上下に長い長方形状に形成し、第２接触ヘッド５Ｂの接触面１９を正方形状に形成した。図１８（ｂ）では、第１接触ヘッド５Ａの接触面１８を上下に長い二等辺三角形状に形成し、第２接触ヘッド５Ｂの接触面１９を円形に形成した。図１８（ｃ）では、第１接触ヘッド５Ａの接触面１８を上下に長い菱形状に形成し、第２接触ヘッド５Ｂの接触面１９を左右に長い菱形状に形成するが、各接触面１８・１９の面積は同じにした。図１８（ｄ）では、第１接触ヘッド５Ａの接触面１８、および第２接触ヘッド５Ｂの接触面１９のそれぞれを長円状に形成し、後者接触面１９の面積を前者接触面１８の面積より小さくなるようにした。図１８（ｅ）では、第１接触ヘッド５Ａの接触面１８を正方形状に形成し、第２接触ヘッド５Ｂの接触面１９を円形とするが、各接触面１８・１９の面積は同じにした。このように、接触ヘッド５Ａ・５Ｂの接触面１８・１９は、その外形形状と面積の少なくともいずれか一方が異なるものであればよく、第１接触ヘッド５Ａの接触面１８は、上下方向に長い長方形、長円形、楕円形、二等辺三角形、菱形、繭形、卵形などの縦長形状に形成してあればよい。
【００７０】
図１９は第１接触ヘッド５Ａと第２接触ヘッド５Ｂに対する給電構造の変形例を示している。そこでは、電流調整回路８０から供給されるパルス電流を、使用姿勢にした第２接触ヘッド５Ｂとアース板９に供給するが、同時にアース板９に供給される電流と同じ極性の電流を不使用状態の第１接触ヘッド５Ａに供給できるようにした。このように、不使用状態の第１接触ヘッド５Ａにアース板９と同じ極性の電流を供給すると、アース板９を握った手の指先を第１接触ヘッド５Ａにあてがうことが可能となる。つまり、使用姿勢にした第２接触ヘッド５Ｂの真後ろを指先で支えた状態で美容器具を扱うことができ、第２接触ヘッド５Ｂの接触面１８を顔肌にそってより繊細に摺動操作することができる。同様に、第１接触ヘッド５Ａを使用姿勢にした場合にも、不使用状態の第２接触ヘッド５Ｂにアース板９を握った手の指先をあてがった状態で美容器具を扱うことができる。
【００７１】
図１９に示す美容器具においては、第１接触ヘッド５Ａと第２接触ヘッド５Ｂが使用姿勢に回転変位するのに連動して、不使用状態にある側の接触ヘッドにアース板９と同じ極性の電流を供給できるようにした。詳しくは、ヘッドブロック３と同行回転する支軸１６の対向周面に受電端子８１・８２を設け、受電端子８１・８２に常時接触する給電端子８３・８４を設けて、電流調整回路８０から供給される極性の異なる電流を給電端子８３・８４を介して各受電端子８１・８２に供給できるようにした。また、一方の受電端子８１を第１接触ヘッド５Ａに導通し、他方の受電端子８２を第２接触ヘッド５Ｂに導通した。なお、一方の給電端子８３はアース板９と並列に接続してある。
【００７２】
上記のように構成した給電構造によれば、たとえば、使用姿勢にした第２接触ヘッド５Ｂにプラス電流を供給し、不使用状態の第１接触ヘッド５Ａとアース板９にマイナス電流を供給することができる。この状態からヘッドブロック３を回転操作して第１接触ヘッド５Ａを使用姿勢にすると、支軸１６および受電端子８１・８２が半回転するので、第１接触ヘッド５Ａにプラス電流が供給され、不使用状態の第２接触ヘッド５Ｂとアース板９にマイナス電流が供給される。なお、使用姿勢にした接触ヘッドに供給される電流の極性は、イオン導入モードとイオン導出モードのどちらが選択されているかに従って電流調整回路８０の側で調整される。また、グリップを兼ねる本体ケース１が小形化してある場合には、アース板９を省略して、不使用姿勢にした側の接触ヘッドの接触面１８（または１９）に手指をあてがうことにより、パルス電流を供給することができる。その場合には、不使用姿勢にした側の接触ヘッドの接触面がアース板９として機能する。
【００７３】
上記のように、不使用状態にある側の接触ヘッドにアース板９と同じ極性の電流を供給する美容器具は、次の形態で実施できる。
グリップを兼ねる本体ケース１と、本体ケース１の上部に配置されて、支軸１６を中心にして回転可能に支持されるヘッドブロック３を備えており、ヘッドブロック３の前面および後面には、第１接触ヘッド５Ａと第２接触ヘッド５Ｂとが背中合わせ状に配置されており、本体ケース１の外面には、イオン導入時、あるいはイオン導出時の一方の電極となるアース板９が配置されており、第１接触ヘッド５Ａの接触面１８および第２接触ヘッド５Ｂの接触面１９と、アース板９とは、電流調整回路８０から出力されるパルス電流を人体に対して協同して供給できるようになっており、両接触ヘッド５Ａ・５Ｂのいずれか一方を使用姿勢にした状態において、不使用姿勢になっている側の接触ヘッドに対して、アース板９と同じ極性のパルス電流を供給することを特徴とする美容器具。
不使用姿勢になっている側の接触ヘッドへのパルス電流の供給を、ヘッドブロック３の回転動作に連動して行う上記の美容器具。なお、ヘッドブロック３は、図１に示すように水平の支軸１６を中心にして回転する場合と、図１４に示すように垂直の支軸１６を中心にして回転する場合のいずれであってもよい。
【００７４】
上記の実施例では、バイブレータ１１を備えた美容器具について説明したが、バイブレータ１１は省略することができる。接触ヘッドは２個以上設けることができる。シートホルダー２は手で握りしめることにより使用姿勢に保持されるが、使用姿勢にしたシートホルダー２を固定保持するロック構造を、本体ケース１とシートホルダー２との間に設けることができる。開口調整体３３は、上下にスライド可能とする以外に、シートホルダー２で上下に反転揺動可能に支持することができる。美容器具は、イオン導入機能とイオン導出機能を備えていることが好ましいが、イオン導入機能だけ、あるいはイオン導出機能だけを備えている、単機能の仕様であってもよい。また、上記の各実施例では、ヘッドハウジング１５を本体ケース１の上部に形成したが、その必要はなく、本体ケース１とは別体の部品にヘッドハウジング１５を形成しておき、これを本体ケース１に対してビスで締結し、あるいは係合固定することができる。
【符号の説明】
【００７５】
１  本体ケース
２  シートホルダー
３  ヘッドブロック
５Ａ  第１接触ヘッド（接触ヘッド）
５Ｂ  第２接触ヘッド（接触ヘッド）
９  アース板
１５  ヘッドハウジング
１６  支軸
１７  腕部
１８  第１接触ヘッドの接触面
１９  第２接触ヘッドの接触面
３２  押え窓
３３  開口調整体
【図１】
0005553445.tif 000002
【図２】
0005553445.tif 000003
【図３】
0005553445.tif 000004
【図４】
0005553445.tif 000005
【図５】
0005553445.tif 000006
【図６】
0005553445.tif 000007
【図７】
0005553445.tif 000008
【図８】
0005553445.tif 000009
【図９】
0005553445.tif 000010
【図１０】
0005553445.tif 000011
【図１１】
0005553445.tif 000012
【図１２】
0005553445.tif 000013
【図１３】
0005553445.tif 000014
【図１４】
0005553445.tif 000015
【図１５】
0005553445.tif 000016
【図１６】
0005553445.tif 000017
【図１７】
0005553445.tif 000018
【図１８】
0005553445.tif 000019
【図１９】
0005553445.tif 000020